(57)【特許請求の範囲】
【請求項１】
害虫侵入口を備え、毒餌収納部を内部に有する害虫毒餌収納容器であって、その容器側面に害虫侵入口が設けられ、その容器内部に設けられた毒餌収納部よりも高位置の容器上部にドーム形状をなすドーム部がその頂部を上方に向けて前記毒餌収納部の直上に位置するように設けられ、該ドーム部の中心から均等な距離で該ドーム部に揮散口が設けられてなる害虫毒餌収納容器。
【請求項２】
揮散口が直径０．５〜３．０ｍｍの円形である請求項１記載の害虫毒餌収納容器。
【請求項３】
揮散口の総開口面積が、３．５〜３５．５ｍｍ２である請求項１又は２記載の害虫毒餌収納容器。
【請求項４】
容器の素材中に害虫の誘引成分が配合されて成形されてなる請求項１〜３いずれか記載の害虫毒餌収納容器。
【請求項５】
害虫の誘引成分が植物性食材、動物性食材又は糖類である請求項４記載の害虫毒餌収納容器。
【発明の詳細な説明】
【０００１】
【発明の属する技術分野】
本発明は害虫毒餌収納容器に関する。さらに詳しくは、誤食防止構造を有するものであって、害虫の誘引性の高い害虫毒餌収納容器に関する。
【０００２】
【従来の技術】
ゴキブリ等の害虫を駆除するための害虫毒餌は一般の家庭において広く用いられているため、子供やペット等が誤って食べてしまうおそれがある。したがって、害虫毒餌収納容器の容器側面部や上面部に設けられた害虫の侵入口を人間の指等が入りにくい程度の大きさにしたり、容器の構造も容易に壊れにくい頑丈な構造が要求される。一方、害虫の防除効率を上げるためには、より多くの害虫を容器内に誘引する必要がある。容器に設けられた害虫侵入口は毒餌等に含まれる誘引成分の揮散口としても重要な役割を果たしているため、誘引成分を有効に揮散させるためには、例えば容器の開口面積をできるだけ広くすれば良い。
しかしながら、容器の開口面積を広くすることは、害虫毒餌収納容器が誤食防止構造をとる必要があることから限界があり、そのため誘引成分の誘引力が十分に発揮できない場合があった。
【０００３】
従来用いられている害虫毒餌収納容器には、主に害虫侵入口が容器側面部に設けられたタイプと容器上面部に設けられたタイプとがある。
前者のタイプでは、誘引成分が容器内に滞留するためか効率的に揮散しない場合があり、誘引性が必ずしも十分とは言えないものであった。後者のタイプでは、誤食の危険性が増すだけでなく、誘引成分が短時間で揮散してしまうため、誘引性は不十分と言えるものであった。
【０００４】
【発明が解決しようとする課題】
したがって本発明の目的は、誤食防止性と害虫の誘引性のいずれもが優れた害虫毒餌収納容器を提供することにある。
【０００５】
【課題を解決するための手段】
本発明者らは上記課題を解決すべく鋭意検討した結果、害虫毒餌収納容器の上部表面に指等が入らない程度の大きさの誘引成分の揮散口を設けることにより、容器の頑丈さを低下させることなく、誘引成分の効力を十分発揮させ得ることを見出し、また、さらに容器の素材中にも害虫の誘引成分を配合しておくことにより誘引成分の効力をさらに効率よく発揮させることができることを見いだし、本発明を完成させるに到った。
【０００６】
即ち、本発明の要旨は、害虫侵入口を備え、毒餌収納部を内部に有する害虫毒餌収納容器であって、その容器側面に害虫侵入口が設けられ、その容器内部に設けられた毒餌収納部よりも高位置の容器上部にドーム形状をなすドーム部がその頂部を上方に向けて前記毒餌収納部の直上に位置するように設けられ、該ドーム部の中心から均等な距離で該ドーム部に揮散口が設けられてなる害虫毒餌収納容器に関する。
【０００７】
【発明の実施の形態】
本発明の害虫毒餌収納容器は、害虫侵入口を備え毒餌収納部を内部に有する害虫毒餌収納容器において、害虫の誘引成分の揮散口が容器表面に設けられたことを特徴とする。本発明の害虫毒餌収納容器は、毒餌が収納される毒餌収納部が容器内部に設けられ、したがって、害虫等は容器の外部から直接毒餌に触れることはできず、害虫は害虫侵入口より侵入して毒餌に接触することになる。
【０００８】
本発明の害虫毒餌収納容器に設けられる害虫の誘引成分の揮散口の位置は特に限定されないが、誘引成分の揮発性成分を効率的に揮散させる観点から、揮散口が毒餌収納部に収納される毒餌よりも高位置の容器上部表面に設けられているのが好ましい。これにより誘引成分の揮発性成分は上方向に揮散する。揮散口が毒餌よりも低い位置にあると揮発性成分が容器内に留まりやすく、効率的に容器外に揮散させにくくなる。従って、本発明の害虫毒餌収納容器において、好ましい態様としては、害虫侵入口が容器側面に設けられ、かつ揮散口が容器上部表面に設けられているものが挙げられる。
【０００９】
揮散口の形状は、特に限定されない。例えば、円形、楕円形、スリット状、多角形等の形状が挙げられ、成形性、強度の点から円形やスリット状が好ましい。揮散口の大きさは、揮散効率の観点および誤食防止の観点から、揮散口が円形の場合、直径０．５〜３．０ｍｍであるのが好ましい。揮散口の形状が円形以外の場合は、揮散口の大きさは、揮散が可能で誤食防止できる程度に適宜決定され、特に限定されない。また揮散口の総開口面積は、揮散効率の観点から３．５〜３５．５ｍｍ2 であることが好ましく、８．５〜２５．０ｍｍ2 であることがより好ましい。揮散口の数は特に限定されないが、容器の頑丈さや揮散の効率性の点から２〜１０個であるのが好ましい。
【００１０】
また、本発明の害虫毒餌収納容器において、揮散口を設ける容器の上部表面は平坦な形状であってもよく（図１）、あるいは図２に示すように容器上部にドーム形状を成すドーム部１が設けられ、ドーム部に揮散口２が設けられたものでもよい。後者の場合、とりわけ揮散口がドームの中心から均等な距離に配されているものは、効率的に害虫を誘引することができるため、より好ましい。これは、次のようなドーム効果によるものと考えられる。
【００１１】
即ち、揮発した揮発性成分は、まずドームの内側に滞留し、飽和状態に達した後、揮散口から徐々に容器外へ押し出される（ドーム効果）。ドーム効果により、揮発性成分が急激に放出されたり、また誘引効果が十分発揮されない濃度のままで揮発性成分が極めて緩やかに放出されることもなく、誘引効果が十分発揮できる濃度の揮発性成分が、適当な時間をかけて容器外に揮散される。また、揮散口がドームの中心から均等な距離に配されているものは、揮発性成分が容器外の各方向へ均一に揮散していくため、より好ましい。
【００１２】
本発明の害虫毒餌収納容器は、害虫の誘引成分を含有する毒餌３が毒餌収納部４に収納されて害虫の駆除に使用される。本発明において、駆除の対象となる害虫としては、例えばゴキブリ類：クロゴキブリ、チャバネゴキブリ、ワモンゴキブリ、ヤマトゴキブリなど；アリ類：アミメアリ、トビイロケアリ、クロヤマアリ、ルリアリ、イエヒメアリなど；その他：ナメクジ、ダンゴムシなどの各種害虫が挙げられる。
【００１３】
毒餌としては、例えば上記の害虫の駆除に用いられる成分を含有するので有れば特に問題はなく、例えばホウ酸だんご、あるいは各種のピレスロイド系殺虫剤、有機リン系殺虫剤、カーバメート系殺虫剤を含有するだんご等が挙げられる。
【００１４】
害虫の誘引成分としては特に限定されないが、害虫の餌となる植物性食材、動物性食材、又は糖類等が好適に挙げられる。これらは、固形の食材あるいは液状食材のいずれでも良い。植物性食材としては、例えばピーナッツ粉、ピーナッツオイル、ゴマ粉、ゴマ油、米ぬか、オニオン粉、酒粕等が挙げられる。動物性食材としては、例えばサナギ、魚粉、バター等が挙げられる。糖類としては、例えば白糖、三温糖、黒砂糖、蜂蜜等が挙げられる。これらの誘引成分の配合量は、特に限定されないが、好ましくは毒餌中に０．５〜１０．０重量％配合して用いられる。
【００１５】
また、本発明の害虫毒餌収納容器は、害虫の誘引効果をさらに高める目的で、容器の素材中に害虫の誘引成分が配合されて成形されたものでもよい。容器の素材としては、特に限定されないが、射出成形あるいは真空成形によって成形される、ポリスチレン樹脂、ポリプロピレン樹脂、ポリエチレン樹脂、ポリ塩化ビニル樹脂等の通常のプラスチックに用いられる樹脂が好適なものとして挙げられる。誘引成分の配合量は、容器の素材中に０．１〜５．０重量％配合して用いられることが好ましい。
【００１６】
本発明においては、前記の誘引成分以外に害虫の誘引性を阻害しない範囲で他の成分を容器の素材中に適宜配合しても良い。例えば、▲１▼安息香酸デナトニウム等の苦み剤、▲２▼誘引成分の保持性をアップさせるシリカゲル、木粉、デンプン質などの無機質や植物質、▲３▼清潔剤としての殺菌剤、等が挙げられる。
【００１７】
本発明の害虫毒餌収納容器の製造方法は、特に限定されず、通常のプラスチック成形加工などにより容易に製造することができる。容器の素材である樹脂中に前記の誘引成分などを添加配合して所望の形状に成形する場合も同様である。この場合、誘引成分が固形の食材である場合、微粉砕するのが好ましく、液状食材である場合、シリカゲル等の鉱物質に含浸させるのが好ましい。そして、誘引成分などを添加配合した後、射出成形あるいは真空成形によって所望の形状に成形する。
【００１８】
このようにして得られる本発明の害虫毒餌収納容器は、従来のように毒餌自体の工夫ではなく、容器自体を工夫して誤食防止を図りつつ誘引成分の効率の良い揮散性を保持し、あるいはさらに容器自体に誘引性を付与して害虫の駆除性を向上させることができる。ゴキブリ等の多くの害虫は、かなり身近なニオイに反応することが多いため、まず、容器に誘われ、次に毒餌のニオイに誘われて喫食して死に至る。
【００１９】
次に本発明の害虫毒餌収納容器についての具体例について図面により説明する。図３は、容器の上部表面が平坦な形状のもの、図４は容器上部にドーム形状を有するものの例である。図３および図４の容器は容器本体と蓋からなり、いずれも（Ａ）は組立前の容器本体の平面図、（Ｂ）は組立前の蓋の平面図、（Ｃ）は組立後の容器の側面図、（Ｄ）および（Ｅ）は容器組立俯瞰図を示す。容器本体は、底板１０上に蓋８を支える柱６と、毒餌収納部４を形成するための毒餌収納部の仕切り材７を備え、底板１０の中央部が毒餌収納部４となるように配置される。蓋８は図３では平坦な蓋表面に円形の揮散口２が設けられ、図４ではドーム部１に円形の揮散口２がドームの中心から均等な距離に設けられている。毒餌３は毒餌収納部４に収納され、柱６と柱６の間が害虫侵入口５として設けられる。また、毒餌３は毒餌固定部９によって毒餌収納部４に固定される。
【００２０】
【実施例】
以下、実施例及び試験例により本発明をさらに詳しく説明するが、本発明はこれらの実施例等によりなんら限定されるものではない。
【００２１】
実施例１
ポリプロピレン樹脂からなる容器の側面に害虫侵入口を設け、容器の上部表面をドーム形状に成形すると共にそのドーム部に害虫の誘引成分の揮散口として、５個の直径２ｍｍの穴をドームの中心から均等な距離にもうけた害虫毒餌収納容器を作成した。
【００２２】
実施例２
ポリプロピレン樹脂からなる容器の側面に害虫侵入口を設け、容器の上部表面をドーム形状に成形すると共にそのドーム部に害虫の誘引成分の揮散口として縦４ｍｍ、横１ｍｍのスリットをドームの中心から均等な距離に４箇所もうけた害虫毒餌収納容器を作成した。
【００２３】
試験例１
実施例１、２の害虫毒餌収納容器の毒餌収納部に、誘引成分としてピーナッツ粉、ハチミツ、ゴマ等を配合したホウ酸ダンゴ（フマキラー（株）製、フマキラーホウ酸ダンゴ）を入れたものを供試剤とした。また、誘引成分の揮散口の数が０、２または１０個である以外は、供試剤とまったく同様にして準備されたものについても同様に供試剤とした。１×１ｍ2 の容器内にシェルター、固形飼料および水を設置し、チャバネゴキブリ雌成虫３０個体を放飼した。この容器内に供試剤１個を設置し、経時的に寄り付き数をカウントした。試験結果を表１に示した。
その結果、誘引成分の揮散口を設けた容器はそれを設けない容器と比較して、チャバネゴキブリを速やかに誘引した。また、揮散口が５個以上である場合に、より優れた誘引効果が認められた。
【００２４】
【表１】
0003795169.tif 000002
【００２５】
試験例２
実施例１、２の害虫毒餌収納容器の毒餌収納部に、誘引成分としてピーナッツ粉、ハチミツ、ゴマ等を配合したホウ酸ダンゴ（フマキラー（株）製、フマキラーホウ酸ダンゴ）を入れたものを供試剤とした。また、誘引成分の揮散口の数が０、２または１０個である以外は、供試剤とまったく同様にして準備されたものについても同様に供試剤とした。１×１ｍ2 の容器内にシェルター、固形飼料および水を設置し、チャバネゴキブリ雌成虫３０個体を放飼した。この容器内に供試剤１個を設置し、経時的に死亡数をカウントした。試験結果を表２に示した。その結果、誘引成分の揮散口を設けた容器はそれを設けない容器と比較して、チャバネゴキブリに対して、即効的な致死効果が得られた。また、揮散口が５個以上である場合に、より優れた致死効果が認められた。
【００２６】
【表２】
0003795169.tif 000003
【００２７】
実施例３
実施例１において、容器の上部表面を平坦な形状に成形する以外は同様にして害虫毒餌収納容器を作成した。
【００２８】
試験例３
実施例３の容器を用いて試験例１と同様に試験を行ったところ、同様に誘引成分の揮散口を設けた容器はそれを設けない容器と比較して、チャバネゴキブリを速やかに誘引した。また、揮散口が５個以上である場合に、より優れた誘引効果が認められた。
【００２９】
実施例４
表３に示す各種の誘引成分を表３に示す量でポリプロピレン樹脂（ＰＰ樹脂）に配合し、射出成型して害虫毒餌収納容器（No.1〜７）を作成した。また、誘引成分をＰＰ樹脂中に含まない害虫毒餌収納容器（No.8）も同様にして作成した。
【００３０】
【表３】
0003795169.tif 000004
【００３１】
試験例４
実施例４で得られた害虫毒餌収納容器（No.1〜８）の毒餌収納部に表４の毒餌を入れた。１×１ｍ2 の容器内にシェルター、固形飼料および水を設置し、チャバネゴキブリ雌成虫３０個体またはクロゴキブリ雌成虫１０個体を放飼した。この容器内に害虫毒餌収納容器１個を設置し、試験開始前と２４時間後に毒餌全体重量を測定して喫食量を調査した。その結果を表３に示す。表中の数値は、No.8の容器における喫食量を１．００とした相対値で示す。
その結果、誘引成分をＰＰ樹脂中に配合した害虫毒餌収納容器は、誘引成分をＰＰ樹脂中に配合していない害虫毒餌収納容器よりもゴキブリをおびき寄せる効果がさらに良好であり、喫食性が向上していた。
【００３２】
【表４】
0003795169.tif 000005
【００３３】
【発明の効果】
本発明により、誤食防止の可能な程度の誘引成分の揮散口を設けることにより、誤食防止を図りつつ誘引成分の効力を十分発揮させることができ、あるいはさらに容器自体にも誘引性を付与して害虫の誘引性と駆除性を向上させることができる害虫毒餌収納容器が提供される。
【図面の簡単な説明】
【図１】図１は、本発明の害虫毒餌収納容器の一例の概略を示す斜視図である。
【図２】図２は、本発明の害虫毒餌収納容器の一例の概略を示す側面図である。
【図３】図３は、上部表面が平坦な形状の本発明の害虫毒餌収納容器の概略図である。
【図４】図４は、容器上部にドーム形状を有する本発明の害虫毒餌収納容器の概略図である。
【符号の説明】
１  ドーム部
２  揮散口
３  毒餌
４  毒餌収納部
５  害虫侵入口
６  柱
７  毒餌収納部の仕切り材
８  蓋
９  毒餌固定部
１０  底板
【図１】
0003795169.tif 000006
【図２】
0003795169.tif 000007
【図３】
0003795169.tif 000008
【図４】
0003795169.tif 000009